(57)【要約】【課題】様々な方向からリモコンにより遠隔操作がされる場合であっても適切な設定ができる撮像装置を提供する。【解決手段】撮像装置は、遠隔操作装置から送信された信号を受信する複数の受信部と、複数の受信部により受信された各々の受信信号の信号レベルに基づいて、自装置に対する遠隔操作装置の角度を検出する角度検出部と、表示情報を表示する表示部と、角度検出部により検出された検出角度に基づいて、表示情報の表示を変更して表示部に表示させる表示制御部とを備える。【選択図】図１
2012186546.tif 000002
【特許請求の範囲】
【請求項１】
遠隔操作装置から送信された信号を受信する複数の受信部と、
前記複数の受信部により受信された各々の受信信号の信号レベルに基づいて、自装置に対する前記遠隔操作装置の角度を検出する角度検出部と、
表示情報を表示する表示部と、
前記角度検出部により検出された検出角度に基づいて、前記表示情報の表示を変更して前記表示部に表示させる表示制御部と、
を備えることを特徴とする撮像装置。
【請求項２】
前記表示制御部は、
前記検出角度に基づいて、前記検出角度の方向から前記表示情報が見えやすいように、前記表示情報の表示を変更して前記表示部に表示させる
ことを特徴とする請求項１に記載の撮像装置。
【請求項３】
前記表示制御部は、
前記検出角度に基づいて、前記表示部において前記検出角度の方向から見えにくい表示領域に表示される前記表示情報の表示位置を、前記表示部において前記検出角度の方向から見えやすい表示領域に変更して前記表示部に表示させる
ことを特徴とする請求項１または請求項２に記載の撮像装置。
【請求項４】
前記表示制御部は、
前記検出角度と前記自装置に備えられている各部材の配置とに基づいて、前記表示部の表示領域において前記検出角度の方向から前記各部材により遮られる表示領域であるか否かを判定することにより、前記表示部において前記検出角度の方向から見えにくい表示領域と見えやすい表示領域とを判定し、
前記見えにくい表示領域と判定した表示領域に表示される前記表示情報の表示位置を、前記見えやすい表示領域と判定した領域に変更して前記表示部に表示させる
ことを特徴とする請求項１から請求項３の何れか１項に記載の撮像装置。
【請求項５】
前記表示制御部は、
前記表示部に表示させた前記表示情報が前記検出角度の方向から見られた場合に、前記表示部に表示させた前記表示情報が前記表示部に対して正面視された場合の色調に近づくように、前記検出角度に基づいて前記表示情報の色調を変更して前記表示部に表示させる
ことを特徴とする請求項１から請求項４の何れか１項に記載の撮像装置。
【請求項６】
前記複数の受信部のうち２つ以上の受信部は、前記表示部が配置されている側の異なる位置に配置されており、
前記角度検出部は、
前記２つ以上の受信部により受信された各々の受信信号の信号レベルに基づいて、前記自装置に対する前記遠隔操作装置の角度を検出する
ことを特徴とする請求項１から請求項５の何れか１項に記載の撮像装置。
【請求項７】
前記複数の受信部のうち１つ以上の受信部は、前記自装置における前側に配置されており、
前記検出角度が、前記自装置に対する前方の角度である場合において、前記遠隔操作装置からレリーズ信号を受信した場合、前記レリーズ信号に基づくレリーズタイミングを、所定の時間遅延させるタイミング遅延部
を備えることを特徴とする請求項１から請求項６の何れか１項に記載の撮像装置。
【請求項８】
前記タイミング遅延部は、
前記検出角度が、前記自装置により撮影される撮影領域に対応した角度の範囲内である場合において、前記遠隔操作装置からレリーズ信号を受信した場合、前記レリーズ信号に基づくレリーズタイミングを所定の時間遅延させる
ことを特徴とする請求項７に記載の撮像装置。
【請求項９】
遠隔操作装置から送信された信号を受信する複数の受信部と、
前記複数の受信部により受信された各々の受信信号の信号レベルに基づいて、自装置に対する前記遠隔操作装置の角度を検出する角度検出部と、
前記角度検出部により検出された検出角度に基づいて、レリーズ信号に基づくレリーズタイミングを、所定の時間遅延させるタイミング遅延部と、
を備えることを特徴とする撮像装置。
【請求項１０】
表示情報を表示する表示部を備える撮像装置の制御方法であって、
複数の受信部が、遠隔操作装置から送信された信号を受信する手順と、
角度検出部が、前記複数の受信部により受信された各々の受信信号の信号レベルに基づいて、自装置に対する前記遠隔操作装置の角度を検出する手順と、
表示制御部が、前記角度検出部により検出された検出角度に基づいて、前記表示情報の表示を変更して前記表示部に表示させる手順と、
を備えることを特徴とする撮像装置の制御方法。
【請求項１１】
複数の受信部が、遠隔操作装置から送信された信号を受信する手順と、
角度検出部が、前記複数の受信部により受信された各々の受信信号の信号レベルに基づいて、自装置に対する前記遠隔操作装置の角度を検出する手順と、
タイミング遅延部が、前記角度検出部により検出された検出角度に基づいて、レリーズ信号に基づくレリーズタイミングを、所定の時間遅延させる手順と、
を備えることを特徴とする撮像装置の制御方法。
【発明の詳細な説明】
【技術分野】
【０００１】
本発明は、撮像装置、及びその制御方法に関する。
【背景技術】
【０００２】
従来から、操作者がリモコン（遠隔操作装置）により撮像装置を遠隔操作する技術がある（特許文献１参照）。
【先行技術文献】
【特許文献】
【０００３】
【特許文献１】特開平６−４３５２３号公報
【発明の概要】
【発明が解決しようとする課題】
【０００４】
しかしながら、リモコンにより撮像装置を遠隔操作する操作者の位置が変わった場合、撮像装置は、適切な制御ができないことがあった。
【０００５】
本発明は、このような事情に鑑みてなされたもので、その目的は、様々な方向からリモコンにより遠隔操作がされる場合であっても適切な制御ができる撮像装置、及びその制御方法を提供することにある。
【課題を解決するための手段】
【０００６】
この発明は上述した課題を解決するためになされたもので、遠隔操作装置から送信された信号を受信する複数の受信部と、前記複数の受信部により受信された各々の受信信号の信号レベルに基づいて、自装置に対する前記遠隔操作装置の角度を検出する角度検出部と、表示情報を表示する表示部と、前記角度検出部により検出された検出角度に基づいて、前記表示情報の表示を変更して前記表示部に表示させる表示制御部とを備えることを特徴とする撮像装置である。
【０００７】
また、この発明は、遠隔操作装置から送信された信号を受信する複数の受信部と、前記複数の受信部により受信された各々の受信信号の信号レベルに基づいて、自装置に対する前記遠隔操作装置の角度を検出する角度検出部と、前記角度検出部により検出された検出角度に基づいて、前記レリーズ信号に基づくレリーズタイミングを、所定の時間遅延させるタイミング遅延部とを備えることを特徴とする撮像装置である。
【０００８】
また、この発明は、表示情報を表示する表示部を備える撮像装置の制御方法であって、
複数の受信部が、遠隔操作装置から送信された信号を受信する手順と、角度検出部が、前記複数の受信部により受信された各々の受信信号の信号レベルに基づいて、前記自装置に対する前記遠隔操作装置の角度を検出する手順と、表示制御部が、前記角度検出部により検出された検出角度に基づいて、前記表示情報の表示を変更して前記表示部に表示させる手順とを備えることを特徴とする撮像装置の制御方法である。
【０００９】
また、この発明は、複数の受信部が、遠隔操作装置から送信された信号を受信する手順と、角度検出部が、前記複数の受信部により受信された各々の受信信号の信号レベルに基づいて、前記自装置に対する前記遠隔操作装置の角度を検出する手順と、タイミング遅延部が、前記角度検出部により検出された検出角度に基づいて、前記レリーズ信号に基づくレリーズタイミングを、所定の時間遅延させる手順とを備えることを特徴とする撮像装置の制御方法である。
【発明の効果】
【００１０】
この発明によれば、撮像装置は、様々な方向からリモコンにより遠隔操作がされる場合であっても適切な制御ができる。
【図面の簡単な説明】
【００１１】
【図１】本発明の実施形態による撮像装置の構成を示す概略ブロック図である。
【図２】撮像装置における３つの受信部の配置の一例を示す概略外観図である。
【図３】撮像装置に対するリモコンの操作方向を示す説明図である。
【図４】検出角度の方向から部材により遮られる表示領域を示す図である。
【図５】本実施形態における表示位置の制御処理を示すフローチャートである。
【図６】本実施形態における表示色調の制御処理を示すフローチャートである。
【図７】本実施形態におけるレリーズタイミングの制御処理を示すフローチャートである。
【発明を実施するための形態】
【００１２】
＜第１実施形態＞
以下、図面を参照して、本発明の第１実施形態について説明する。図１は、本発明の第１実施形態による撮像装置１００の構成を示す概略ブロック図である。ここでは、本実施形態における撮像装置１００が、複数の受信部として３つの受信部を備えている例について説明する。
図１に示す撮像装置１００は、撮像部２、制御部３、画像処理部４、記憶部５、バッファメモリ部６、表示部７、音出力部８、発光部９、受信部Ａ１０ａ、受信部Ｂ１０ｂ、受信部Ｃ１０ｃ、操作部１１、カードコネクタ１２、及びバス１５を備えている。
【００１３】
撮像部２は、レンズ部２１、撮像素子２２、及びＡ/Ｄ変換部２３を備えており、被写体を撮像して画像データを生成する。この撮像部２は、設定された撮像条件（例えば絞り値、露出等）に基づいて制御部３により制御され、レンズ部２１を介して入力された被写体の光学像を、撮像素子２２の撮像面上に結像させる。また、撮像部２は、撮像素子２２から出力されたアナログ信号をＡ/Ｄ変換部２３においてデジタル信号に変換し、画像データを生成する。
なお、上述したレンズ部２１は、撮像装置１００に取り付けられて一体とされていてもよいし、撮像装置１００に着脱可能に取り付けられてもよい。
【００１４】
撮像素子２２は、撮像面に結像された光学像を光電変換したアナログ信号を、Ａ/Ｄ変換部２３に出力する。Ａ/Ｄ変換部２３は、撮像素子２２から入力されたアナログ信号をデジタル信号に変換し、この変換したデジタル信号である画像データを出力する。
【００１５】
例えば、撮像部２は、操作部１１における静止画撮影操作に応じて、撮像した静止画の画像データを出力する。また、撮像部２は、操作部１１における動画撮影操作に応じて、所定の間隔で連続的に撮像した動画の画像データを出力する。そして、撮像部２によって撮像された静止画の画像データ及び動画の画像データは、制御部３の制御により、バッファメモリ部６や画像処理部４を介して記憶媒体２００に記録される。また、撮像部２は、操作部１１における撮影操作がされていない撮影待機状態の場合、所定の間隔で連続的に得られる画像データをスルー画像データ(スルー画）として出力する。そして、撮像部２によって得られたスルー画像データは、制御部３の制御により、バッファメモリ部６や画像処理部４を介して表示部７に表示される。
【００１６】
制御部３は、撮像装置１００が備えている各部を制御する。本実施形態における制御部３の構成についての詳細は後述する。
【００１７】
画像処理部４は、記憶部５に記憶されている画像処理条件に基づいて、バッファメモリ部６に記憶されている画像データに対して画像処理を実行する。ここで、バッファメモリ部６に記憶されている画像データとは、例えば、撮像部２によって撮像された静止画の画像データ、スルー画像データ、もしくは動画の画像データ、または記憶媒体２００から読み出された画像データである。
【００１８】
記憶部５には、撮像装置１００を制御するための、予め設定された、撮影条件、画像処理条件、再生制御条件、表示制御条件、記録制御条件、及び出力制御条件などが記憶されている。例えば、記憶部５は、ＲＯＭ（Read Only Memory）である。
なお、記憶部５には、撮像された動画の画像データ及び静止画の画像データが記録されてもよい。この場合、例えば、記憶部５は、フラッシュメモリ等であってもよい。
【００１９】
バッファメモリ部６は、制御部３が撮像装置１００を制御する際の作業領域として利用される。撮像部２によって撮像された静止画の画像データ、スルー画像データ、もしくは動画の画像データ、または記憶媒体２００から読み出された画像データは、制御部３の制御による画像処理の過程においてバッファメモリ部６に一時的に記憶される。バッファメモリ部６は、例えばＲＡＭ（Random Access Memory）である。
【００２０】
表示部７は、表示情報を表示する。表示部７は、例えば、液晶ディスプレイであり、撮像部２によって撮像された画像データに基づく画像、もしくは記憶媒体２００から読み出された画像データに基づく画像、またはメニュー画面、もしくは撮像装置１００の動作状態や設定に関する情報等を表示する。ここで、撮像装置１００の動作状態や設定に関する情報は、例えば、ＡＦ（Auto Focus）動作、シャッタースピード、絞り、ＩＳＯ感度、記録画素数、記録可残能枚数、または撮影シーンモード等に関する情報である。
【００２１】
受信部Ａ１０ａ、受信部Ｂ１０ｂ、及び受信部Ｃ１０ｃは、リモコン３００（遠隔操作装置）から送信された信号を受信する。そして、受信部Ａ１０ａ、受信部Ｂ１０ｂ、及び受信部Ｃ１０ｃは、各々が受信した信号に基づく受信信号を電気信号として制御部３に出力する。例えば、受信部Ａ１０ａ、受信部Ｂ１０ｂ、及び受信部Ｃ１０ｃは、リモコン３００から送信された赤外線信号を受信し、各々が受信した赤外線信号を電気信号に変換して制御部３に出力する。また、リモコン３００は、撮像装置１００を遠隔操作する遠隔操作装置である。例えば、リモコン３００は、レリーズスイッチ３０１を備えており、操作者がレリーズスイッチ３０１を操作した場合、レリーズスイッチ３０１の操作を示すレリーズ信号を赤外線信号として送信する。
【００２２】
図２は、撮像装置１００における３つの受信部の配置の一例を示す概略外観図である。図２（ａ）に示すように、撮像装置１００の背面側には、表示部７、受信部Ａ１０ａ、受信部Ｂ１０ｂ、及び操作部１１が配置されている。また、図２（ｂ）に示すように、撮像装置１００の前側には、レンズ部２１、及び受信部Ｃ１０ｃが配置されている。
【００２３】
図２（ａ）に示すように、３つの受信部のうち２つの受信部（受信部Ａ１０ａ、及び受信部Ｂ１０ｂ）は、表示部７が配置されている撮像装置１００の背面側の異なる位置に配置されている。例えば、２つの受信部は、表示部７に対して水平方向に離れた位置に配置されており、受信部Ａ１０ａが左側に、受信部Ｂが右側に各々配置されている。
【００２４】
よって、リモコン３００が撮像装置１００の表示部７に対する正面方向よりも右方向から操作された場合と左方向から操作された場合とにおいては、２つの受信部（受信部Ａ１０ａ、及び受信部Ｂ１０ｂ）により受信された各々の受信信号の信号レベルは、異なる信号レベルになる。例えば、リモコン３００が表示部７に対する正面方向よりも右方向から操作された場合、左側に配置されている受信部Ａ１０ａの受信信号の信号レベルは、右側に配置されている受信部Ｂ１０ｂの受信信号の信号レベルよりも低い信号レベルになる。また、リモコン３００が表示部７に対する正面方向よりも左方向から操作された場合、左側に配置されている受信部Ａ１０ａの受信信号の信号レベルは、右側に配置されている受信部Ｂ１０ｂの受信信号の信号レベルよりも高い信号レベルになる。
【００２５】
一方、図２（ｂ）に示すように、３つの受信部のうち１つの受信部（受信部Ｃ１０ｃ）は、撮像装置１００の前側、すなわち、撮像装置１００が撮像する側に対面し被写体からの光学像がレンズ部２１に入力される側に配置されている。よって、リモコン３００が撮像装置１００の前方（前側の方向）から操作された場合と後方（背面側の方向）から操作された場合とにおいては、３つの受信部（受信部Ａ１０ａ、受信部Ｂ１０ｂ、及び受信部Ｃ１０ｃ）により受信された各々の受信信号の信号レベルは、異なる信号レベルになる。例えば、リモコン３００が撮像装置１００の前方から操作された場合、前側に配置されている受信部Ｃ１０ｃの受信信号の信号レベルは、背面側に配置されている受信部Ａ１０ａ及び受信部Ｂ１０ｂの各々の受信信号の信号レベルよりも高い信号レベルになる。また、リモコン３００が撮像装置１００の後方から操作された場合、背面側に配置されている受信部Ａ１０ａ及び受信部Ｂ１０ｂの各々の受信信号の信号レベルは、前側に配置されている受信部Ｃ１０ｃの受信信号の信号レベルよりも高い信号レベルになる。
【００２６】
図１に戻り、操作部１１は、撮像装置１００に対して操作者が操作入力するための操作スイッチを備えている。例えば、操作部１１は、電源スイッチ、レリーズスイッチ、モードスイッチ、メニュースイッチ、上下左右選択スイッチ、確定スイッチ、取消スイッチ、及びその他の操作スイッチを備えている。操作部１１が備えている上述のそれぞれのスイッチは、操作されることに応じて、それぞれの操作に対応した操作信号を制御部３に出力する。
【００２７】
カードコネクタ１２には、カードメモリ等の着脱可能な記憶媒体２００が挿入される。カードコネクタ１２を介して、この記憶媒体２００に画像データの書込み、読み出し、または消去が実行される。
記憶媒体２００は、撮像装置１００に対して着脱可能に接続される記憶部であり、例えば、撮像部２で撮像されて生成された画像データが記録される。
【００２８】
バス１５は、撮像部２、制御部３、画像処理部４、記憶部５、バッファメモリ部６、表示部７、受信部Ａ１０ａ、受信部Ｂ１０ｂ、受信部Ｃ１０ｃ、操作部１１、カードコネクタ１２、と接続され、各部から出力された画像データや制御信号等を転送する。
【００２９】
次に、本実施形態の撮像装置１００における制御部３の構成について説明する。図１に示すように制御部３は、角度検出部３１、表示制御部３２、及びタイミング遅延部３３を備えている。角度検出部３１は、リモコン３００からの受信信号の信号レベルに基づいて撮像装置１００に対するリモコン３００の角度を検出する。また、表示制御部３２、及びタイミング遅延部３３は、角度検出部３１により検出された検出角度に基づいて、各々表示部７に表示される表示情報を変更する制御、及びレリーズ信号のレリーズタイミングを遅延させる制御を実行する。以下、制御部３が備えている各部についての詳細を説明する。なお、タイミング遅延部３３による制御については、後述の第３実施形態において説明する。
【００３０】
角度検出部３１は、３つの受信部（受信部Ａ１０ａ、受信部Ｂ１０ｂ、及び受信部Ｃ１０ｃ）により受信された各々の受信信号の信号レベルに基づいて、撮像装置１００対するリモコン３００の角度を検出する。つまり、３つの受信部（受信部Ａ１０ａ、受信部Ｂ１０ｂ、及び受信部Ｃ１０ｃ）は、リモコン３００から送信された信号（例えば、赤外線信号）を受信し、受信した各々の受信信号を電気信号として角度検出部３１に出力する。角度検出部３１は、３つの受信部（受信部Ａ１０ａ、受信部Ｂ１０ｂ、及び受信部Ｃ１０ｃ）により受信された各々の受信信号の信号レベルに基づいて、撮像装置１００に対するリモコン３００の角度を検出する。
【００３１】
図３は、撮像装置１００に対するリモコン３００の操作方向を示す説明図である。この図３のうちの図３（ａ）は、リモコン３００が、撮像装置１００の前方から操作された場合の方向を示す説明図である。この前方とは、撮像装置１００においてレンズ部２１が配置されている前側の方向である。また、図３（ｂ）は、撮像装置１００の後方から操作された場合の方向を示す説明図である。この後方とは、撮像装置１００において表示部７が配置されている背面側の方向である。
【００３２】
例えば、前側に配置されている受信部Ｃ１０ｃの受信信号の信号レベルが、背面側に配置されている受信部Ａ１０ａ及び受信部Ｂ１０ｂの各々の受信信号の信号レベルよりも高い信号レベルである場合、角度検出部３１は、撮像装置１００に対するリモコン３００の角度が撮像装置１００に対する前方の角度であると検出する。すなわち、この場合、角度検出部３１は、リモコン３００が撮像装置１００の前方から操作されたと検出する（図３（ａ）に示す方向）。一方、背面側に配置されている受信部Ａ１０ａ及び受信部Ｂ１０ｂの各々の受信信号の信号レベルが、前側に配置されている受信部Ｃ１０ｃの受信信号の信号レベルよりも高い信号レベルである場合、角度検出部３１は、撮像装置１００に対するリモコン３００の角度が撮像装置１００に対する後方の角度であると検出する。すなわち、この場合、角度検出部３１は、リモコン３００が撮像装置１００の後方から操作されたと検出する（図３（ｂ）に示す方向）。
【００３３】
また、角度検出部３１は、リモコン３００が撮像装置１００の後方から操作されたと検出した場合、更に、撮像装置１００の背面側に配置されている２つの受信部（受信部Ａ１０ａ及び受信部Ｂ１０ｂ）により受信された各々の受信信号の信号レベルに基づいて、撮像装置１００に対するリモコン３００の角度を検出する。すなわち、角度検出部３１は、撮像装置１００の背面側に配置されている表示部７に対するリモコン３００の角度を検出する。
【００３４】
例えば、撮像装置１００の背面側において、左側に配置されている受信部Ａ１０ａの受信信号の信号レベルが、右側に配置されている受信部Ｂ１０ｂの受信信号の信号レベルよりも低い信号レベルである場合は、リモコン３００が表示部７に対する正面方向よりも右方向から操作された場合である。また、左側に配置されている受信部Ａ１０ａの受信信号の信号レベルが、右側に配置されている受信部Ｂ１０ｂの受信信号の信号レベルよりも高い信号レベルである場合は、リモコン３００が表示部７に対する正面方向よりも左方向から操作された場合である。
【００３５】
つまり、例えば、受信部Ａ１０ａと受信部Ｂ１０ｂとが、表示部７の中心に対して水平方向に左右対称の距離に配置されている場合であって、受信部Ａ１０ａと受信部Ｂ１０ｂとの受信信号の信号レベルが同じである場合、撮像装置１００に対するリモコン３００の角度は、撮像装置１００の表示部７に対する正面方向の角度である。また、受信部Ａ１０ａと受信部Ｂ１０ｂとの受信信号の信号レベルの差が大きくなるに対応して、撮像装置１００に対するリモコン３００の角度は、撮像装置１００の表示部７に対する正面方向の角度に対して、右方向に大きい角度または左方向に大きい角度に変化する。よって、角度検出部３１は、２つの受信部（受信部Ａ１０ａ及び受信部Ｂ１０ｂ）により受信された各々の受信信号の信号レベルに基づいて、撮像装置１００の背面側に配置されている表示部７に対するリモコン３００の角度を検出する。
【００３６】
なお、角度検出部３１は、上述の角度を検出する場合、受信信号の信号レベルに対応付けられた受信部とリモコン３００との距離と、受信部Ａ１０ａ及び受信部Ｂ１０ｂの間の距離とに基づいて上述の角度を検出してもよい。また、角度検出部３１は、受信部Ａ１０ａ及び受信部Ｂ１０ｂの各々の受信信号の信号レベルの比に応じて、上述の角度を検出してもよい。また、受信部Ａ１０ａ及び受信部Ｂ１０ｂの各々の受信信号の信号レベルに対応付けられた角度データが記憶部５に予め記憶されており、角度検出部３１は、その対応付けられた角度データを参照することにより上述の角度を検出してもよい。また、受信部Ａ１０ａと受信部Ｂ１０ｂとが、表示部７の中心に対して水平方向に左右対称の距離に配置されていない場合は、角度検出部３１は、撮像装置１００における各々の受信部の位置に基づいて上述の角度を検出してもよい。
【００３７】
なお、撮像装置１００に対するリモコン３００の角度によっては、３つ受信部（受信部Ａ１０ａ、受信部Ｂ１０ｂ、及び受信部Ｃ１０ｃ）のうち、全ての受信部においてリモコン３００から送信された信号を受信できるとは限らない。その場合は、角度検出部３１は、３つ受信部（受信部Ａ１０ａ、受信部Ｂ１０ｂ、及び受信部Ｃ１０ｃ）のうち、受信した受信部のみの信号レベルに基づいて角度を検出してもよい。また、角度検出部３１は、３つ受信部（受信部Ａ１０ａ、受信部Ｂ１０ｂ、及び受信部Ｃ１０ｃ）のうち、受信できなかった受信部の信号レベルを０レベルとして角度を検出してもよい。
【００３８】
次に、表示制御部３２が検出角度に基づいて表示部７における表示情報の表示を変更する場合について説明する。
表示制御部３２は、角度検出部３１により検出された検出角度に基づいて、表示情報の表示を変更して表示部７に表示させる。つまり、角度検出部３１は、３つの受信部（受信部Ａ１０ａ、受信部Ｂ１０ｂ、及び受信部Ｃ１０ｃ）により受信された各々の受信信号の信号レベルに基づいて、撮像装置１００に対するリモコン３００の角度を検出する。そして、表示制御部３２は、角度検出部３１により検出された検出角度に基づいて、当該検出角度の方向から、すなわち、撮像装置１００に対するリモコン３００の方向から表示情報が見えやすいように、当該表示情報の表示を変更して表示部７に表示させる。
【００３９】
表示制御部３２は、リモコン３００の方向から表示情報が見えやすいようにする場合、角度検出部３１により検出された検出角度に基づいて、表示部７において当該検出角度の方向から見えにくい表示領域に表示される表示情報の表示位置を、表示部７において当該検出角度の方向から見えやすい表示領域に変更して表示部７に表示させる。また、表示制御部３２は、角度検出部３１により検出された検出角度と撮像装置１００に備えられている各部材の配置とに基づいて、表示部７の表示領域において当該検出角度の方向から当該各部材により遮られる表示領域であるか否かを判定することにより、表示部７において当該検出角度の方向から見えにくい表示領域と見えやすい表示領域とを判定する。そして、見えにくい表示領域と判定した表示領域に表示される表示情報の表示位置を、見えやすい表示領域と判定した領域に変更して表示部７に表示させる。
【００４０】
ここで、図４を用いて、表示制御部３２が、検出角度に基づいて表示情報の表示位置を変更する例について説明する。
図４は、表示部７において、検出角度の方向から部材により遮られる表示領域を示す図である。この図４は、撮像装置１００を上面視した図であり、撮像装置１００の前側にはレンズ部２１が配置され、背面側には表示部７が配置されていることを示している。撮像装置１００の背面側において、表示部７の左右に受信部Ａ１０ａ、及び受信部Ｂ１０ｂが各々配置されており、リモコン３００から送信された信号を受信する。また、図４は、撮像装置１００の背面側において、表示部７の右側には表示部７の表示面よりも後方に突出している操作部１１が配置されている場合についての例を示している。
【００４１】
図４に示すように、リモコン３００は、撮像装置１００に対して角度θ１の方向から操作者によって操作されたとする。この角度θ１は、上述した角度検出部３１が受信部Ａ１０ａ、及び受信部Ｂ１０ｂの受信信号の信号レベルに基づいて検出した検出角度である。この場合、表示部７において、検出角度θ１の方向から見られた場合に操作部１１により遮られる表示領域がある。例えば、図４に示すように、表示制御部３２は、表示部７の表示面から操作部１１の後方への突出寸法ｄｈと検出角度θ１とに基づいて、操作部１１の左端から表示部７の方向に操作部１１により遮られる寸法ｄ１を算出する。そして、表示制御部３２は、操作部１１の左端から表示部７の右端までの寸法を、寸法ｄ１から減算することにより、表示部７の表示領域において操作部１１により遮られる寸法ｄ２を算出する。よって、表示制御部３２は、リモコン３００の方向から撮像装置１００の表示部７を見た場合、表示部７の右端から寸法ｄ２までの間の表示領域を、操作部１１により遮られることにより見えにくい表示領域として判定する。また、表示制御部３２は、表示部７の表示領域のうち、表示部７の右端から寸法ｄ２までの間の表示領域以外の表示領域を、見えやすい表示領域として判定する。
【００４２】
そして、表示制御部３２は、表示部７の右端から寸法ｄ２までの間の表示領域に表示させている表示情報の表示位置を、表示部７の右端から寸法ｄ２までの間の表示領域以外の表示領域に変更する。すなわち、表示制御部３２は、操作部１１により遮られることにより見えにくい表示領域に表示させている表示情報の表示位置を、見えやすい表示領域に変更する。例えば、表示制御部３２は、撮像装置１００の動作状態や設定に関する情報を、表示部７の右端から寸法ｄ２までの間の表示領域の中に表示させている場合、当該領域の左側の領域に表示位置を変更する。
【００４３】
なお、表示制御部３２は、撮像装置１００の動作状態や設定に関する情報の表示位置を変更する場合、情報の表示サイズを変更して表示位置を変更してもよいし、また、表示する情報に予め設定された優先度に基づいて、表示する情報の項目数を変更して表示位置を変更してもよい。また、表示制御部３２は、撮像装置１００の動作状態や設定に関する情報に限らず、画像データに基づく画像の表示位置を変更してもよい。その場合、表示制御部３２は、画像の表示倍率を縮小して表示位置を変更してもよいし、また、画像の縦横比を変更して表示位置を変更してもよい。また、実際は、リモコンの位置と操作者の目の位置とは一致しない場合があるため、撮像装置１００に対するリモコン３００の角度と撮像装置１００に対する操作者の目の角度とは、一致しない場合がある。そのため、図４において、表示部７の右端から寸法ｄ２までの間の表示領域を、操作部１１により遮られることにより見えにくい表示領域としたが、これに限らず、例えば、寸法ｄ２に所定の寸法を加算した寸法に基づいた表示領域を見えにくい表示領域としてもよい。また、図４において、表示部７の表示領域の一部が操作部１１により遮られる場合の例について示したが、操作部１１以外の部材であってもよく、例えば、表示部７の表示領域の一部が表示部７の表示面と撮像装置１００の背面とに段差があることにより遮られる場合であってもよい。
【００４４】
次に、本第１実施形態における撮像装置１００の動作を説明する。
図５は、本第１実施形態における表示位置の制御処理を示すフローチャートである。以下、図５のフローチャートを用いて、撮像装置１００が検出角度に基づいて表示位置を変更する制御処理について説明する。
【００４５】
撮像装置１００は、リモコン３００から送信された信号を受信するリモコン動作モードに設定され、リモコン３００から送信された信号を受信可能である受信待機状態になる（ステップＳ１１）。撮像装置１００の制御部３は、受信部Ａ１０ａ、受信部Ｂ１０ｂ、または受信部Ｃ１０ｃから受信信号が入力されたか否かにより、受信部Ａ１０ａ、受信部Ｂ１０ｂ、または受信部Ｃ１０ｃがリモコン３００からの信号を各々受信したか否かを検出する（ステップＳ１２）。制御部３に受信部Ａ１０ａ、受信部Ｂ１０ｂ、または受信部Ｃ１０ｃから受信信号が入力された場合、すなわち、受信部Ａ１０ａ、受信部Ｂ１０ｂ、または受信部Ｃ１０ｃがリモコン３００からの信号を受信した場合（ＹＥＳ）、制御部３は、ステップＳ１３に処理を進める。また、制御部３に受信部Ａ１０ａ、受信部Ｂ１０ｂ、及び受信部Ｃ１０ｃから受信信号が入力されない場合、すなわち、受信部Ａ１０ａ、受信部Ｂ１０ｂ、及び受信部Ｃ１０ｃがリモコン３００からの信号を受信しない場合（ＮＯ）、制御部３は、ステップＳ１１に処理を戻し、受信待機状態を継続する。
【００４６】
ステップＳ１３において、制御部３の角度検出部３１は、３つの受信部（受信部Ａ１０ａ、受信部Ｂ１０ｂ、及び受信部Ｃ１０ｃ）から入力された各々の受信信号の信号レベルを検出する（ステップＳ１３）。そして、角度検出部３１は、３つの受信部（受信部Ａ１０ａ、受信部Ｂ１０ｂ、及び受信部Ｃ１０ｃ）から入力された各々の受信信号の信号レベルに基づいて、撮像装置１００に対するリモコン３００の角度を検出する（ステップＳ１４）。
【００４７】
次に、表示制御部３２は、角度検出部３１により検出された検出角度と撮像装置１００に備えられている各部材の配置とに基づいて、表示部７の表示領域において当該検出角度の方向から当該各部材により遮られる表示領域を算出する。すなわち、表示制御部３２は、検出角度の方向から各部材により遮られる表示領域を見えにくい表示領域として判定する。また、表示制御部３２は、表示部７の表示領域のうち、検出角度の方向から各部材により遮られる表示領域以外の表示領域を見えやすい表示領域として判定する（ステップＳ１５）。
【００４８】
そして、表示制御部３２は、表示部７において、検出角度の方向から各部材により遮られる表示領域、すなわち見えにくい表示領域の中に、表示情報を表示させているか否かを判定する（ステップＳ１６）。表示制御部３２は、見えにくい表示領域の中に表示情報を表示させていないと判定した場合（ＮＯ）、表示情報の表示位置を変更しない（ステップＳ１８）。一方、表示制御部３２は、見えにくい表示領域の中に表示情報を表示させていると判定した場合（ＹＥＳ）、見えにくい表示領域と判定した表示領域の中に表示させている表示情報の表示位置を、見えやすい表示領域と判定した領域に変更して表示部７に表示させる（ステップＳ１７）。
【００４９】
これにより、表示部７において、リモコン３００の角度の方向から見えにくい表示領域に表示されている情報が見えやすい表示領域に表示位置が変更されて表示される。
例えば、操作者は、撮像装置に対して様々な方向からリモコンにより遠隔操作する場合がある。そのため、操作者が撮像装置の表示部に対して正面視の方向とは異なる方向から操作する場合、操作者にとって、撮像装置の表示部に表示されている情報が見づらいことがあった。これに対して、本第１実施形態における撮像装置１００によれば、表示部７において、リモコン３００の角度の方向から見えにくい表示領域に表示されている情報が見えやすい表示領域に表示位置が変更されて表示される。そのため、撮像装置１００は、リモコン３００を操作する操作者に、表示部７に表示されている情報を視認させやすくすることができる。よって、撮像装置１００は、様々な方向からリモコン３００により遠隔操作がされる場合であっても、リモコン３００の方向に対して適切な制御ができる。
【００５０】
＜第２実施形態＞
以下、図面を参照して、本発明の第２実施形態について説明する。第１実施形態において、表示制御部３２が検出角度に基づいて表示部７における表示情報の表示位置を変更する場合について説明した。本第２実施形態においては、表示制御部３２が検出角度に基づいて表示部７における表示色調を変更する場合について説明する。
【００５１】
本第２実施形態による撮像装置１００の構成を示す概略ブロック図は、図１に示す概略ブロック図と同様でありその説明を省略し、相違点についてのみ説明する。
制御部３の表示制御部３２は、表示部７に表示させた表示情報が角度検出部３１により検出された検出角度の方向から見られた場合に、表示部７に表示させた表示情報が表示部７に対して正面視された場合の色調に近づくように、検出角度に基づいて表示情報の色調を変更して表示部７に表示させる。すなわち、表示制御部３２は、表示部７に表示させた表示情報が撮像装置１００に対するリモコン３００の方向から見られた場合に、表示部７に表示させた表示情報が表示部７に対して正面視された場合の色調に近づくように、検出角度に基づいて表示情報の色調を変更して表示部７に表示させる。
【００５２】
つまり、表示部７が、例えば液晶ディスプレイ等の場合であって、斜め方向から見られると正面視に対して色調が変化する場合、表示制御部３２は、検出角度に基づいて表示情報の色調を変更して表示部７に表示させる。例えば、表示部７における角度に対する色調の変化特性に基づいて、色調の補正値と検出角度とが関連付けられたテーブルが、記憶部５に予め記憶されている。そして、表示制御部３２は、このテーブルを記憶部５から読み出して参照することにより、検出角度に対応した色調の補正値を決定する。そして、表示制御部３２は、決定した色調の補正値に基づいて、表示部７に表示させる表示情報の色調を補正する。
【００５３】
なお、表示制御部３２は、表示部７に表示させる表示情報の色調を補正する場合、例えば、表示部７に出力する表示データのＲ（赤）、Ｇ（緑）、Ｂ（青）のガンマカーブ（階調特性）を、補正値に基づいて変更することにより色調を補正してもよい。また、表示情報の色調を補正する場合、表示制御部３２は、表示させる画像データのデジタル値に対して色調の補正値を演算する処理を画像処理部４に実行させることにより、色調を補正した画像データを生成してもよい。
【００５４】
なお、表示制御部３２が、色調の補正値と角度とが関連付けられたテーブルを参照することにより、検出角度に対応した色調の補正値を決定する場合について説明したが、これに限られるものではない。例えば、表示制御部３２は、角度に対する色調の補正値を算出するために予め設定された演算式を用いることにより、検出角度に対応した色調の補正値を算出して決定してもよい。
【００５５】
図６は、本実施形態における表示色調の制御処理を示すフローチャートである。以下、図６のフローチャートを用いて、撮像装置１００が検出角度に基づいて表示色調を変更する制御処理について説明する。
図６のステップＳ２１からステップＳ２４は、図５のステップＳ１１からステップＳ１４と各々対応しており、撮像装置１００の各部が同様の処理を実行するため、その説明を省略する。
【００５６】
表示制御部３２は、ステップＳ２４において検出された検出角度に基づいて、表示情報の色調を変更する。つまり、表示制御部３２は、角度検出部３１により検出された検出角度の方向から見られた場合、すなわち、撮像装置１００に対するリモコン３００の方向から見られた場合の色調が、表示部７に対して正面視された場合の色調に近づくように、検出角度に基づいて表示情報の色調を変更して表示部７に表示させる（ステップＳ２５）。
【００５７】
これにより、表示部７において、リモコン３００の角度の方向から見た場合の色調が、正面視した場合の色調に近い色調に補正されて表示される。そのため、撮像装置１００は、リモコン３００を操作する操作者に、表示部７に表示されている情報を視認させやすくすることができる。よって、撮像装置１００は、様々な方向からリモコン３００により遠隔操作がされる場合であっても、リモコン３００の方向に対して適切な制御ができる。
【００５８】
＜第３実施形態＞
以下、図面を参照して、本発明の第３実施形態について説明する。第３実施形態においては、タイミング遅延部３３が検出角度に基づいてレリーズ信号のレリーズタイミングを遅延させる場合について説明する。
【００５９】
本第３実施形態による撮像装置１００の構成を示す概略ブロック図は、図１に示す概略ブロック図と同様でありその説明を省略し、相違点についてのみ説明する。
制御部３のタイミング遅延部３３は、受信されたレリーズ信号に基づくレリーズタイミングを、所定の時間遅延させる制御をする。そして、タイミング遅延部３３は、角度検出部３１により検出された検出角度が撮像装置１００に対する前方の角度である場合であって、リモコン３００からレリーズ信号が受信された場合、受信されたレリーズ信号に基づくレリーズタイミングを所定の時間遅延させる制御を実行する。一方、タイミング遅延部３３は、角度検出部３１により検出された検出角度が、撮像装置１００に対する前方の角度でない場合は、受信されたレリーズ信号に基づくレリーズタイミングを所定の時間遅延させる制御を実行しない。
【００６０】
よって、撮像装置１００の前方からリモコン３００のレリーズスイッチ３０１の操作がされた場合、タイミング遅延部３３がレリーズタイミングを所定の時間遅延させることにより、レリーズスイッチ３０１が操作されたタイミングに対して所定の時間経過後に撮像装置１００において撮影がされる。一方、撮像装置１００の前方以外からリモコン３００のレリーズスイッチ３０１の操作がされた場合、タイミング遅延部３３がレリーズタイミングを所定の時間遅延させないため、レリーズスイッチ３０１が操作されたタイミングに基づいて撮像装置１００において通常の撮影と同様のタイミングにより撮影がされる。
【００６１】
ここで、上述の所定の時間とは、撮像装置１００において予め設定された所定の時間である。例えば、タイミング遅延部３３は、記憶部５に記憶されている予め設定された所定の時間を読み出して参照することにより、上述のレリーズタイミングを所定の時間遅延させる制御を実行する。また、上述の所定の時間は、例えば、操作者が撮像装置１００の前方からリモコン３００を操作して操作者自身を含む撮影を行う場合において、操作者がリモコン３００のレリーズスイッチ３０１を操作してからリモコン３００を隠すまでの時間を考慮して設定されている。すなわち、上述の所定の時間は、操作者がリモコン３００が撮影されてしまわないようにするために必要な時間として予め設定されている。
【００６２】
図７は、本第３実施形態におけるレリーズタイミングの制御処理を示すフローチャートである。以下、図７のフローチャートを用いて、撮像装置１００が検出角度に基づいてレリーズタイミングを制御する処理について説明する。
図７のステップＳ３１からステップＳ３４は、図５のステップＳ１１からステップＳ１４と各々対応しており、撮像装置１００の各部が同様の処理を実行するため、その説明を省略する。
【００６３】
角度検出部３１は、各々の受信信号の信号レベルに基づいて検出した検出角度が撮像装置１００に対する前方の角度であるか否かを判定する（ステップＳ３５）。角度検出部３１により検出角度が撮像装置１００に対する前方の角度であると判定された場合（ＹＥＳ）、タイミング遅延部３３は、リモコン３００からレリーズ信号が受信された際、受信されたレリーズ信号に基づくレリーズタイミングを、所定の時間遅延させる制御を実行する。つまり、撮像装置１００において、受信されたレリーズ信号に対して所定の時間遅延されたタイミングにより撮影される（ステップＳ３６）。
【００６４】
一方、角度検出部３１により検出角度が撮像装置１００に対する前方の角度でないと判定された場合（ＮＯ）、タイミング遅延部３３は、リモコン３００からレリーズ信号が受信された際、受信されたレリーズ信号に基づくレリーズタイミングを、所定の時間遅延させる制御を実行しない。つまり、撮像装置１００において、受信されたレリーズ信号のタイミングにより撮影される（ステップＳ３７）。
【００６５】
これにより、操作者が撮像装置１００に対して前方からリモコン３００によりレリーズスイッチ３０１を操作した場合、その操作のタイミングから所定の時間経過した後に撮影がされる。
【００６６】
例えば、操作者が撮像装置の前方の位置からリモコンを操作して操作者自身を撮影する場合、リモコンも撮影されてしまう可能性があった。この場合、操作者が撮像装置の位置まで移動して撮像装置の設定をセルフタイマー撮影に設定することで回避できるが、リモコンにより遠隔操作している状況においては非常に煩わしかった。これに対して、本第３実施形態の撮像装置１００によれば、操作者が撮像装置１００に対して前方からリモコン３００によりレリーズスイッチ３０１を操作した場合、その操作のタイミングから所定の時間経過した後に撮影がされる。そのため、操作者は、リモコン３００を撮影されないように隠すことができる。よって、撮像装置１００は、様々な方向からリモコン３００により遠隔操作がされる場合であっても、リモコン３００の方向に対して適切な制御ができる。
【００６７】
以上のように、本第１実施形態における撮像装置１００は、撮像装置１００に対するリモコン３００の角度に基づいて、表示部７において、リモコン３００の角度の方向から見えにくい表示領域に表示されている情報を見えやすい表示領域に表示位置を変更する。また、本第２実施形態における撮像装置１００は、撮像装置１００に対するリモコン３００の角度に基づいて、表示部７において、リモコン３００の角度の方向から見られた場合の色調を、正面視された場合の色調に近づける補正をする。よって、撮像装置１００は、リモコン３００の角度の方向に対して、表示部７の表示を視認しやすいように設定することができる。また、本第３実施形態における撮像装置１００は、操作者により撮像装置１００に対して前方からリモコン３００によりレリーズスイッチ３０１の操作がされた場合、レリーズタイミングを所定の時間遅延させて撮影する。よって、操作者がリモコン３００を用いて操作者自身を撮影する場合、撮影画像にリモコン３００が撮影されてしまうことを防止できる。
このように、撮像装置１００は、様々な方向からリモコン３００により遠隔操作がされる場合であっても、リモコン３００の方向に対して適切な制御ができる。
【００６８】
なお、本実施形態において、３つの受信部のうち１つの受信部が撮像装置１００の前側に配置され、２つの受信部が撮像装置１００の背面側に配置されている例について説明したが、これに限られるものではない。例えば、受信部が撮像装置１００の前側または背面側のどちらか一方に配置されていてもよく、撮像装置１００は、撮像装置１００に対する前方または後方のどちらか一方の角度を検出してもよい。
【００６９】
また、撮像装置１００において、２つの受信部が撮像装置１００の背面側の水平方向の異なる位置に配置されているのに代えて、垂直方向の異なる位置に配置されていてもよい。この場合、撮像装置１００は、垂直方向の異なる位置に配置されている２つの受信部により受信された受信信号の信号レベルに基づいて、垂直方向の角度を検出してもよい。
【００７０】
また、撮像装置１００には、撮像装置１００の前側に２つ以上の受信部、背面側に３つ以上の受信部が配置されていてもよい。また、撮像装置１００は、撮像装置１００の前側または背面側に３つ以上の受信部が配置されている場合であって、３つ以上の受信部の各々の受信部が水平方向の異なる位置と垂直方向の異なる位置との両方を含む位置関係に各々配置されている場合、水平方向の角度と垂直方向の角度との両方の角度を検出してもよい。
【００７１】
また、撮像装置１００は、撮像装置１００の前側に２つ以上の受信部が配置されている場合であって、撮像装置１００の前方の角度を検出する場合、撮像装置１００によりレンズ部２１を介して撮像される撮影領域に対応した角度と検出角度とを比較してもよい。この場合、検出角度が撮像装置１００により撮影される撮影領域に対応した角度の範囲内である場合において、リモコン３００からレリーズ信号を受信した場合、タイミング遅延部３３は、レリーズ信号に基づくレリーズタイミングを所定の時間遅延させる制御をしてもよい。これにより、操作者が撮像装置１００の撮影領域に対応した角度の範囲内からリモコン３００によりレリーズスイッチ３０１を操作した場合、その操作のタイミングから所定の時間経過した後に撮影がされる。よって、操作者は、レリーズスイッチ３０１を操作してから撮影されるまでの時間において、リモコン３００が撮影されないように隠すことができるとともに、撮影される姿勢の準備をすることができる。なお、撮像装置１００は、レンズ部２１のレンズ情報及びズーム位置の情報等に基づいて、検出角度と比較するための撮影領域に対応した角度を変更してもよい。
【００７２】
なお、本実施形態において、表示部７が撮像装置１００の背面に配置されている例について説明したが、これに限られるものではない。例えば、表示部７は、撮像装置１００に対して表示面の向きが変更可能なバリアングルタイプであってもよい。表示部７がバリアングルタイプである場合、表示部７の向き（例えば、撮像装置１００の前方に表示面が向く向き）とリモコン３００の操作の角度（例えば、撮像装置１００の前方からリモコン３００を操作する場合）とによっては、例えば、表示部７の表示領域において、レンズ部２１または撮像装置１００本体により遮られる表示領域が見えにくい表示領域と判定される場合もある。この場合、表示制御部３２は、レンズ部２１または撮像装置１００本体により遮られる表示領域に表示させている表示情報の表示位置を、レンズ部２１または撮像装置１００本体により遮られる表示領域以外の表示領域に変更する。
【００７３】
また、表示部７がバリアングルタイプである場合であって、モータ等により駆動されることによって表示部７が撮像装置１００に対する位置または向きを変更可能な場合、撮像装置１００は、以下のような制御を実行してもよい。例えば、撮像装置１００に対するリモコン３００の方向から見えにくい表示領域に表示されている表示情報を見やすくするために、撮像装置１００は、見えにくい表示領域が見えやすい表示領域になるように、表示部７の位置または向きを変更する制御をしてもよい。
【００７４】
また、表示部７がバリアングルタイプである場合、受信部が撮像装置１００の背面側に配置されているのに代えて、表示部７の表示面側に配置されていてもよい。これにより、撮像装置１００は、表示部７の表示面が向いている方向からリモコン３００により送信される信号を受信し、受信した信号に基づいて、表示部７に対するリモコン３００の角度を検出することができる。
【００７５】
なお、本実施形態において、表示制御部３２、及びタイミング遅延部３３が、角度検出部３１により検出された検出角度に基づいて、表示制御及びタイミング制御をする例について説明したが、検出角度に対応している受信信号の信号レベルに基づいて、表示制御及びタイミング制御をする設計としても同様の制御であり同様の効果が得られる。
【００７６】
なお、図１における制御部３における角度検出部３１、表示制御部３２、及びタイミング遅延部３３は専用のハードウェアにより実現されるものであってもよく、また、メモリおよびＣＰＵ（Central Processing Unit）により構成され、上述の各部の機能を実現するためのプログラムをメモリにロードして実行することによりその機能を実現させるものであってもよい。
【００７７】
また、図１における上述の各部の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【００７８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７９】
以上、この発明の実施形態を図面を参照して詳述してきたが、具体的な構成はこの実施形態に限られるものではなく、この発明の要旨を逸脱しない範囲の設計等も含まれる。
【符号の説明】
【００８０】
３  制御部、７  表示部、１０ａ  受信部Ａ、１０ｂ  受信部Ｂ、１０ｃ受信部Ｃ、３１  角度検出部、３２  表示制御部、３３  タイミング遅延部、１００  撮像装置、３００  リモコン
【図１】
2012186546.tif 000003
【図２】
2012186546.tif 000004
【図３】
2012186546.tif 000005
【図４】
2012186546.tif 000006
【図５】
2012186546.tif 000007
【図６】
2012186546.tif 000008
【図７】
2012186546.tif 000009